(57)【要約】【課題】張力付与ローラの周面の磨耗状態を均等化する画像形成装置を提供する【解決手段】制御部が、１乃至複数枚の画像を形成する画像出力の画像形成が終了した後、次の画像出力が存在しないときに１０インチつまり２５４ｍｍ後進させる処理を実行し、また手動操作により後進の指示が行なわれたときには１／６インチつまり４．２３ｍｍ後進させる処理を実行することを考慮して、２５４ｍｍと４．２３ｍｍの整数倍および整数分の１倍を避けた周長の張力付与ローラ１３を製作する。【選択図】  図３
2010069666.tif 000002
【特許請求の範囲】
【請求項１】
前進方向に走行中の連続紙上に画像を形成する画像形成部と、
連続紙の搬送方向について前記画像形成部よりも下流側に配置され、該連続紙を前記前進方向に搬送する搬送ローラと、
連続紙の搬送方向について前記画像形成部よりも上流側に配置され、該連続紙を後進させる逆駆動ローラと、
連続紙の搬送方向について前記画像形成部よりも上流側に配置されて該連続紙に接し、該連続紙が前記搬送ローラにより前進方向に搬送されているときに停止して該連続紙に後進方向の張力を付与するとともに該連続紙が後進するときは該連続紙の後進に従動して回転する張力付与ローラとを備えたことを特徴とする画像形成装置。
【請求項２】
１乃至複数枚の画像を形成する画像出力の画像形成が終了し画像形成待ちの次の画像出力が存在しないときに連続紙の搬送を停止して該連続紙を規定長だけ後進させる制御部を備え、
前記張力付与ローラは、前記規定長の整数倍および整数分の１倍を避けた周長を有することを特徴とする請求項１記載の画像形成装置。
【請求項３】
前記制御部は、後進の指示を受けて連続紙を単位長の整数倍後退させるものであって、
前記張力付与ローラは、前記規定長の整数倍および整数分の１倍を避けるとともに、さらに前記単位長の整数倍および整数分の１倍を避けた周長を有することを特徴とする請求項２記載の画像形成装置。
【請求項４】
前記張力付与ローラは、前記逆駆動ローラとの間に連続紙を挟む位置に配置されていることを特徴とする請求項１から３のうちのいずれか１項記載の画像形成装置。
【発明の詳細な説明】
【技術分野】
【０００１】
本発明は、画像形成装置に関する。
【背景技術】
【０００２】
連続紙に画像を形成する画像形成装置が知られている（例えば特許文献１、２参照）。この特許文献１、２には、連続紙を前進させているときにその連続紙に張力付与ローラで張力を与えて連続紙を弛ませないようにする技術が開示されている。
【特許文献１】特開２００６−２４８７３３号公報
【特許文献２】特開２００７−１６９０５３号公報
【発明の開示】
【発明が解決しようとする課題】
【０００３】
ところで、張力付与ローラを張力付与させつつ回転させると、連続紙がその幅方向の一方に寄ってしまう、いわゆる片寄せが発生する恐れがあるため、張力付与ローラは回転させずに停止させたまま用いられる。この張力付与ローラを回転させずに停止させたまま用いると、張力付与ローラの特定の部分だけが磨耗する。
【０００４】
本発明は、張力付与ローラの周面の磨耗状態を均等化する画像形成装置を提供することを目的とする。
【課題を解決するための手段】
【０００５】
請求項１の画像形成装置は、前進方向に走行中の連続紙上に画像を形成する画像形成部と、
連続紙の搬送方向について上記画像形成部よりも下流側に配置され、その連続紙を上記前進方向に搬送する搬送ローラと、
連続紙の搬送方向について上記画像形成部よりも上流側に配置され、その連続紙を後進させる逆駆動ローラと、
連続紙の搬送方向について上記画像形成部よりも上流側に配置されてその連続紙に接し、その連続紙が上記搬送ローラにより前進方向に搬送されているときに停止してその連続紙に後進方向の張力を付与するとともにその連続紙が後進するときはその連続紙の後進に従動して回転する張力付与ローラとを備えたことを特徴とする。
【０００６】
請求項２の画像形成装置は、１乃至複数枚の画像を形成する画像出力の画像形成が終了し画像形成待ちの次の画像出力が存在しないときに連続紙の搬送を停止してその連続紙を規定長だけ後進させる制御部を備え、
上記張力付与ローラは、上記規定長の整数倍および整数分の１倍を避けた周長を有することを特徴とする。
【０００７】
請求項３の画像形成装置は、上記制御部は、後進の指示を受けて連続紙を単位長の整数倍後退させるものであって、
上記張力付与ローラは、上記規定長の整数倍および整数分の１倍を避けるとともに、さらに上記単位長の整数倍および整数分の１倍を避けた周長を有することを特徴とする。
【０００８】
請求項４の画像形成装置は、上記張力付与ローラは、上記逆駆動ローラとの間に連続紙を挟む位置に配置されていることを特徴とする。
【発明の効果】
【０００９】
上記請求項１の画像形成装置によれば、連続紙の後進に従動して張力付与ローラを回転させて、連続紙の前進時に張力付与ローラが連続紙に接する位置を変更することができる。
【００１０】
上記請求項２の画像形成装置によれば、上記張力付与ローラが停止して連続紙に接する位置を、１乃至複数枚の画像を形成する画像出力を終了させた後の連続紙の後進処理ごとに変更することができる。
【００１１】
上記請求項３の画像形成装置によれば、上記張力付与ローラが停止して連続紙に接する位置を、手動操作で連続紙を後進させる度に変更することができる。
【００１２】
上記請求項４の画像形成装置によれば、連続紙の前進時には逆駆動ローラと張力付与ローラとが連携して連続紙に張力を与えることができ、連続紙の後進時には、逆駆動ローラと張力付与ローラとが連携して連続紙を後進させることができる。
【発明を実施するための最良の形態】
【００１３】
以下、図面を参照して本発明の実施の形態を説明する。
【００１４】
図１は、本発明の一実施形態である画像形成装置１を示す図である。
【００１５】
図１には、画像形成装置１の内部の画像形成部１０周辺の構成が抜粋されており、画像形成部１０の上流側に位置する給紙部（不図示）からその画像形成部１０を経由して画像形成部の下流側に位置する排紙部（不図示）にまで連続紙１８０が長々と連なっている状態が示されている。
【００１６】
構成を簡単に説明する。
【００１７】
図１の画像形成装置１には、前進方向に走行中の連続紙１８０上に画像を形成する画像形成部１０が備えられている。本実施形態では、画像形成部１０の一例として、感光ドラム１００とその感光ドラム１００よりも連続紙の搬送方向について下流側に位置する定着器１０１とで構成された画像形成部１０が示されている。
【００１８】
またその画像形成部１０よりも連続紙１８０の搬送方向について下流側には、その連続紙１８０を前進方向に搬送する搬送ローラ１１が備えられており、その画像形成部１０よりも上流側にはその連続紙１８０を後進させる逆駆動ローラ１２が備えられている。搬送ローラ１１は回転することにより連続紙１８０をＡ方向に前進させ、逆駆動ローラ１２は回転することにより連続紙１８０をＢ方向に後進させる。この例では２つの逆駆動ローラ１２０，１２１が設けられた例が示されている。
【００１９】
また本実施形態の画像形成装置１には、連続紙１８０の搬送方向について上記画像形成部１０よりも上流側に配置されてその連続紙１８０に接し、その連続紙１８０が搬送ローラ１１により前進方向（Ａ方向）に搬送されているときは停止してその連続紙１８０に後進方向の張力を付与するとともに、連続紙１８０が後進するときは連続紙１８０の後進に従動して回転する張力付与ローラ１３が備えられている。この例では、その張力付与ローラ１３が上記２つの逆駆動ローラ１２０，のうちの一方の逆駆動ローラ１２１との間に連続紙１８０を挟む位置に配置されている。
【００２０】
この張力付与ローラ１３で張力が与えられた連続紙に感光ドラム１００・定着部１０１によって画像が形成される。なお図１には、２つの補助搬送ローラＰ，Ｑと連続紙の姿勢矯正用のローラＲも図示されている。
【００２１】
上記搬送ローラ１１の駆動と、上記逆駆動ローラ１２の駆動は、本発明にいう制御部の一例を構成するマイクロコンピュータ１４によって制御される。マイクロコンピュータ１４のＲＯＭ内には、連続紙を前進させたり後進させたりする等の搬送に関わるプログラムが格納されており、そのプログラムの手順にしたがってマイクロコンピュータ１４から搬送ローラ１１を駆動する駆動部１１Ａに指示が与えられたり、逆駆動ローラ１２を駆動する駆動部１２Ａに指示が与えられて、それらの駆動部１１Ａ，１２Ａの駆動により回転する搬送ローラ１１や逆駆動ローラ１２により連続紙１８０の搬送が行なわれる。
【００２２】
この本実施形態のマイクロコンピュータ１４は、搬送ローラ１１の駆動部１１Ａおよび逆駆動ローラの駆動部１２Ａに順次指示して１乃至複数枚の画像を形成する画像出力の画像形成が終了し画像形成待ちの次の画像出力が存在しないときに連続紙１８０の搬送を停止させて連続紙１８０を規定長だけ後進させ、次の画像出力の画像形成を開始するときにはその前の画像出力で形成された画像の終端に続けて画像を形成することで連続紙内に空白を形成しない処理を実行する。この例ではマイクロコンピュータ１４が、画像出力が終了し次の画像出力が存在しないときに駆動部１１Ａ，１２Ａに指示して連続紙の搬送を停止させて規定長の一例となる１０インチ後進させる処理を実行する。
【００２３】
またマイクロコンピュータ１４は、手動操作による後進の指示を受けて連続紙１８０を単位長の整数倍後退させる処理も実行する。図１には単位長の一例として１／６インチ後進させる処理を行なう例が示されている。
【００２４】
ここで、逆駆動ローラ１２と張力付与ローラ１３の部分を抜粋してそれらの構成の詳細を説明する。
【００２５】
図２は、図１の張力付与ローラ１３および逆駆動ローラ１２付近の拡大図である。
【００２６】
図２に示す様に、２つの逆駆動ローラ１２は回転することにより連続紙をＢ方向に後進させる。この例では、２つの逆駆動ローラのうちの１つの逆駆動ローラ１２０の方にはその逆駆動ローラ１２０との間に連続紙１８０を挟む位置に従動ローラ１２２が設けられており、この従動ローラ１２２は、連続紙１８０を後進させるときにだけ、連続紙１８０に接する位置に配置され連続紙１８０を挟んで後進させる。また、その逆駆動ローラ１２０の上流側には、もう一つ逆駆動ローラ１２１が備えられており、その逆駆動ローラとの間に連続紙１８０を挟む位置には張力付与ローラ１３が配置されている。この張力付与ローラ１３は、連続紙１８０を前進させるときは逆駆動ローラ１２とともに停止して、逆駆動ローラ１２の駆動により連続紙１８０を後進させるときにはその連続紙の搬送に従動して回転する。
【００２７】
このため、張力付与ローラ１３は、連続紙１８０を前進させるときには停止して連続紙１８０に張力を与えて連続紙１８０が弛むのを防止し、連続紙１８０を後進させるときには従動して回転して補助ローラとしての機能を担うとともに連続紙の搬送に従動して回転して連続紙を前進させるときの張力付与ローラの連続紙に接する位置を変更するという機能を担う。
【００２８】
図１の画像形成装置１は、以上説明した様な構成を持つ。
【００２９】
ところで、図１、図２の構成にすると、搬送ローラ１１の回転により連続紙１８０を前進させているときには張力付与ローラ１３が停止して連続紙１８０に張力が与えられる。このため張力付与ローラ１３が停止したままであると、張力付与ローラ１３が連続紙１８０に接する位置がいつも同じ位置になるためにその位置だけが磨耗する。前述の特許文献２のように張力付与ローラ１３を回転させることにより張力付与ローラ１３の周面の同じ位置の磨耗を防止することができるが、張力付与ローラ１３を回転させるためには駆動部をもう一つ余分に設けなければならない。
【００３０】
そこで本実施形態では、逆駆動ローラ１２の回転により連続紙１８０を後進させるときは張力付与ローラ１３を連続紙の搬送に従動して後進させる構成にして張力付与ローラ１３が連続紙１８０に接する位置の変更を行なうことが可能な構成にし、さらにその張力付与ローラ１３の周長に工夫を凝らして連続紙１８０を後進させた後の張力付与ローラ１３が連続紙１８０に接する位置を、画像出力ごとに、また手動操作による後進処理が行なわれる度に異ならせることにより、張力付与ローラ１３の周面の磨耗が均等化されるように構成している。
【００３１】
具体的には、前述した様に、制御部の一例を構成するマイクロコンピュータ１４が、１つの画像出力が終了して次の画像出力が存在しないときに規定長である１０インチ後進させる処理を行なうことと、手動操作に応じて単位長である１／６インチ後進させる処理を行なうこととを考慮して、張力付与ローラ１３の周長を、その規定長である１０インチの整数倍および整数分の１倍を避けるとともに、さらに単位長である１／６インチの整数倍および整数分の１倍を避けた周長である２０ｍｍにしている。
【００３２】
このため、張力付与ローラ１３が連続紙１８０に接する位置が画像出力ごとに変更され、さらに手動操作による後進の指示にしたがって後進させた後の張力付与ローラ１３の連続紙１８０に接する位置が上記画像出力ことに変更された位置とは重ならない位置に変更される。
【００３３】
その結果、張力付与ローラ１３の周面の、連続紙１８０に接する同じ位置の磨耗が防止され周面の磨耗が均等化される。
【００３４】
なおこの張力付与ローラ１３を後進させるときにだけ回転させる構成にするのは容易であり、張力付与ローラ１３に公知技術である１ウエイクラッチを備えさせれば良い。
【００３５】
最後に図３を参照して具体的な数値を掲げて本発明の作用を説明する。
【００３６】
図３は、搬送ローラ１１と逆駆動ローラ１２と感光ドラム１００との位置関係を示す模式図である。
【００３７】
図３には、上記した様に張力付与ローラ１３の直径を２０ｍｍにした場合の例が示されている。
【００３８】
前述した様に、本発明にいう制御部の一例を構成するマイクロコンピュータ１４は１乃至複数枚の画像を形成する画像出力が終了して次の画像出力が存在しないときには連続紙１８０を規定長である１０インチつまり２５４ｍｍ後進させる処理を実行する。また手動操作により後進の指示が行なわれたときには連続紙１８０を１／６インチつまり４．２３ｍｍ後進させる処理を実行する。
【００３９】
そこで、この２５４ｍｍと４．２３ｍｍの整数倍および整数分の１倍を避けた周長になる直径２０ｍｍの張力付与ローラ１３を製作して、連続紙１８０の後進処理が行なわれた後においては張力付与ローラ１３が連続紙１８０に接する位置ｇが、その前に接していた位置ｈからは変更される構成にしている。
【００４０】
この例では、張力付与ローラの直径を２０ｍｍとし周長を２０×３．１４＝６２．８ｍｍにしてマイクロコンピュータ１４の制御の下に連続紙１８０を１０インチ後進させる処理が行なわれた後においては、張力付与ローラ１３が図３に示す様に２５４ｍｍ÷６２．８ｍｍ＝４．０４４、つまり４回転と１６度回転して図３の符号ｇの位置に停止し、連続紙に接する位置ｈからは外れた位置に停止する構成としている。
【００４１】
この構成にすると画像出力で連続紙上に１乃至複数枚の画像が形成される度に連続紙の後進に従動して張力付与ローラ１３が回転して、張力付与ローラ１３の連続紙１８０に接する位置が画像出力ごとに変更されて張力付与ローラ１３の周面の磨耗が均等化される。
【００４２】
また、手動操作による後進の指示においては後進処理ごとに張力付与ローラが連続紙１８０に接する位置が変更され、たとえ後進処理が連続的に行なわれて張力付与ローラ１３が一回転したとしても張力付与ローラ１３が連続紙１８０に接する位置が一回転する前の位置からは変更されて張力付与ローラ１３の周面の磨耗が均等化される。
【図面の簡単な説明】
【００４３】
【図１】本発明の画像形成装置１の一実施形態を示す図である。
【図２】図１の張力付与ローラ１３および逆駆動ローラ１２付近の拡大図である。
【図３】搬送ローラと逆駆動ローラと感光ドラムとの位置関係を示す模式図である。
【符号の説明】
【００４４】
１    画像形成装置
１０    画像形成部
１１    搬送ローラ
１２    逆駆動ローラ
１２０    逆駆動ローラ
１２１    逆駆動ローラ
１２２    従動ローラ
１３    張力付与ローラ
１４    マイクロコンピュータ（制御部）
【図１】
2010069666.tif 000003
【図２】
2010069666.tif 000004
【図３】
2010069666.tif 000005